(57)【要約】      （修正有）【課題】レーザを発射する訓練用小火器において、引金（トリガ）の状態を接点端子の接触・開放により電気的に導通状態・非導通状態として検出し、導通状態・非導通状態に応じた電気信号をレーザ送信装置に伝送可能とするスイッチ装置を提供する。【解決手段】ハウジング１に回転軸３により回転自在に取付けられたトリガ２と、トリガ２に連動するように設けられた第１の接点端子５と、第１の接点端子５の移動位置に設けられた第２の接点端子６と、第１の接点端子５を第２の接点端子６から離す方向に力が加えられるばね４と、第１の接点端子５及び第２の接点端子６にそれぞれ電気的に接続されたコネクタ１１とを具備することを特徴とする。【選択図】図１
2011058713.tif 000002
【特許請求の範囲】
【請求項１】
ハウジングに回転軸により回転自在に取付けられたトリガと、
前記トリガに連動するように設けられた第１の接点端子と、
前記第１の接点端子の移動位置に設けられた第２の接点端子と、
前記第１の接点端子を前記第２の接点端子から離す方向に力が加えられるばねと、
前記第１の接点端子及び前記第２の接点端子にそれぞれ電気的に接続されたコネクタと
を具備することを特徴とするスイッチ装置。
【請求項２】
第２の接点端子を第１の接点端子との間隔を変えるように移動するスライド部材と、
前記スライド部材を移動する調整つまみと、
前記調整つまみを所定の間隔でクリック調整するプランジャと
を具備することを特徴とする請求項１に記載のスイッチ装置。
【請求項３】
第１の接点端子にクッションを設けたことを特徴とする請求項１又は２に記載のスイッチ装置。
【発明の詳細な説明】
【技術分野】
【０００１】
本発明は、例えばレーザ送信装置よりレーザを発射する訓練用小火器（小銃・機関銃）の引金操作に連動し、レーザの発射タイミングを電気的に検出する接点端子式のスイッチ装置に関する。
【背景技術】
【０００２】
従来、レーザ送信装置よりレーザを発射する訓練用小火器（小銃・機関銃）においては、引金部分の操作から機械的にリンク構造を用いてレーザ送信装置のスイッチレバーを稼動させてレーザを発射している。
【先行技術文献】
【特許文献】
【０００３】
【特許文献１】特開平９−４２８９３号公報
【特許文献２】特開２００２−８１８９７号公報
【発明の概要】
【発明が解決しようとする課題】
【０００４】
しかしながら、レーザ送信装置よりレーザを発射する訓練用小火器（小銃・機関銃）の引金操作から機械的にリンク構造を用いてレーザ送信装置のスイッチレバーを稼動させる場合、レーザの発射タイミング調整が微妙であり、固定ねじの締め込みにより調整不良が発生しやすく煩雑な作業であった。また、引金部とレーザ送信装置の機械的位置関係についても限定されるため、レーザ送信装置は各小火器専用品となっていた。
【０００５】
本発明は上記の事情に鑑みてなされたもので、引金（トリガ）の状態を接点端子の接触・開放により電気的に導通状態・非導通状態として検出し、前記導通状態・非導通状態に応じた電気信号をレーザ送信装置に伝送可能とするスイッチ装置を提供することを目的とする。
【課題を解決するための手段】
【０００６】
上記目的を達成するために本発明のスイッチ装置は、ハウジングに回転軸により回転自在に取付けられたトリガと、前記トリガに連動するように設けられた第１の接点端子と、前記第１の接点端子の移動位置に設けられた第２の接点端子と、前記第１の接点端子を前記第２の接点端子から離す方向に力が加えられるばねと、前記第１の接点端子及び前記第２の接点端子にそれぞれ電気的に接続されたコネクタとを具備することを特徴とするものである。
【０００７】
また本発明は、前記スイッチ装置において、第２の接点端子を第１の接点端子との間隔を変えるように移動するスライド部材と、前記スライド部材を移動する調整つまみと、前記調整つまみを所定の間隔でクリック調整するプランジャとを具備することを特徴とするものである。
【０００８】
また本発明は、前記スイッチ装置において、第１の接点端子にクッションを設けたことを特徴とするものである。
【発明の効果】
【０００９】
本発明のスイッチ装置は、引金（トリガ）の状態を接点端子の接触・開放により電気的に導通状態・非導通状態として検出し、前記導通状態・非導通状態に応じた電気信号をレーザ送信装置に伝送可能とすることにより、スイッチ装置とレーザ送信装置の装着位置の機械的制約をなくすことが可能となる。これにより、レーザ送信装置を複数種類の小火器に共通化することができる。そして、スイッチ装置をレーザ送信装置に装着後のスイッチ装置の検出タイミング調整方法は調整つまみを回転し接点端子の接触するタイミングを可変させることで調整可能となるため、煩雑な作業は解消される。
【図面の簡単な説明】
【００１０】
【図１】本発明の実施形態に係るスイッチ装置を示す斜視図である。
【図２】（ａ）は本発明の実施形態に係るスイッチ装置を示す側面図、（ｂ）は（ａ）のＡ−Ａ´線断面図である。
【発明を実施するための形態】
【００１１】
以下図面を参照して本発明の実施の形態を詳細に説明する。
【００１２】
図１は本発明の実施形態に係るスイッチ装置を示す斜視図、図２（ａ）は本発明の実施形態に係るスイッチ装置を示す側面図、図２（ｂ）は図２（ａ）のＡ−Ａ´線断面図である。
【００１３】
図１及び図２において、１はハウジング、２はトリガ（引金）、３はトリガ回転軸、４はねじりコイルばね、５は第１の接点端子、６は第２の接点端子、７は調整つまみ、８はスライド部材、９は調整ねじ、１０はプランジャ、１１はコネクタ、１２は干渉クッションである。
【００１４】
図１及び図２に示すように、板状の枠体よりなるハウジング１の先端部には調整つまみ７が軸方向を略水平にして回転自在に設けられ、前記調整つまみ７の中心軸部には調整ねじ９がねじ込まれて略水平に設けられる。前記調整ねじ９にはスライド部材８が一体に略水平に延長して設けられ、前記スライド部材８の後端部には第２の接点端子６が水平方向に対して傾斜して設けられる。前記ハウジング１には調整つまみ７を所定の間隔でクリック調整するためのプランジャ１０が設けられる。
【００１５】
前記ハウジング１の後端部にはトリガ２が操作部２０１を下方に突出してトリガ回転軸３により回転自在に設けられると共に、トリガ２にはねじりコイルばね４により反時計方向の回転力が与えられる。前記トリガ２の上端部には干渉クッション１２を介して先端部が半球状の第１の接点端子５が先端部を第２の接点端子６方向にして設けられる。前記干渉クッション１２はトリガ２の引き過ぎによる第１の接点端子５、第２の接点端子６、及びトリガ２等のスイッチ装置の破損を防止するために設けられる。
【００１６】
前記ハウジング１の上部にはコネクタ１１が設けられ、前記コネクタ１１は前記第１の接点端子５及び第２の接点端子６に電気的に接続されている。前記コネクタ１１は接続ケーブルによりレーザ送信装置に接続される。
【００１７】
すなわち、トリガ２の操作部２０１に指をかけて矢印Ａ方向に引くことにより、トリガ２はねじりコイルばね４の回転力に逆らって時計方向に回転し、第１の接点端子５の先端部が第２の接点端子６に接触して導通状態になる。なお、調整つまみ７を回転することにより、調整ねじ９によりスライド部材８が略水平方向に移動し、前記第２の接点端子６が略水平方向に移動して第１の接点端子５と第２の接点端子６との接触するタイミングが調整可能となる。この場合、調整つまみ７はプランジャ１０により所定の間隔でクリック調整される。
【００１８】
一方、トリガ２の操作部２０１から指を離すと、トリガ２はねじりコイルばね４の回転力により反時計方向に回転し、第１の接点端子５の先端部が第２の接点端子６から離れて非導通状態になる。
【００１９】
第１の接点端子５と第２の接点端子６の間の導通状態または非導通状態を表す電気的信号はインターフェースとなるコネクタ１１から接続ケーブルでレーザ送信装置に伝送される。
【００２０】
以上のように本発明の実施形態に係るスイッチ装置によれば、ハウジング１及びトリガ回転軸３に支持されたトリガ２を具備し、トリガ２に取付けた第１の接点端子５はトリガ２に連動して可動し、第２の接点端子６に接触し、電気的信号を導通状態にする。稼動させたトリガ２はねじりコイルばね４で、元の状態に戻り、電気的信号を非導通状態にする。また、電気的信号の導通もしくは非導通の状態を接続ケーブルでレーザ送信装置に伝送するためのインターフェースとなるコネクタ１１が設けられる。
【００２１】
また、第２の接点端子６はスライド部材８に固定されており、調整つまみ７と連動し、スライド部材８が移動することにより第１の接点端子５との接触するタイミングが調整可能となる。また、調整つまみ７はハウジング１に圧入されたプランジャ１０で任意の間隔でクリック調整を可能とする。
【００２２】
また、トリガ２の引き過ぎによるスイッチ装置の破損を防止するため、第１の接点端子５の下部に干渉クッション（αＧＥＬＬ）１２が構成される。
【００２３】
したがって、安全で、引金操作の電気的検出及び検出タイミングの調整を行うことができる。
【００２４】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００２５】
１…ハウジング、２…トリガ（引金）、３…トリガ回転軸、４…ねじりコイルばね、５…第１の接点端子、６…第２の接点端子、７…調整つまみ、８…スライド部材、９…調整ねじ、１０…プランジャ、１１…コネクタ、１２…干渉クッション。
【図１】
2011058713.tif 000003
【図２】
2011058713.tif 000004